(57)【要約】【課題】  電子機器の筐体の撓みに伴って、或いは電子機器に内蔵される種々の装置や部品が発する熱によって、ディスク装置が撓むことがなく、強度的に優れた補強構造を備えたディスク装置の提供【解決手段】  ディスク装置を構成するフレーム１０Ａに一体に形成された各々の前脚部１１Ｆと後脚部１１Ｒとの間に、断面コ字型であって２重リブ構造に形成された補強部１２を形成することにより、ディスク装置を構成するフレーム１０Ａのねじれを防止する。【選択図】      図３
2005174440.tif 000002
【特許請求の範囲】
【請求項１】
ディスクを載置するための開閉可能なトレイが設けられたディスク装置において、当該ディスク装置を構成するフレームが一部２重リブ構造で形成されたことを特徴とする補強構造を備えたディスク装置。
【請求項２】
前記フレームに当該ディスク装置を設置するために備えられた前脚部と後脚部との間の前記フレーム部分を、２重リブ構造に形成したことを特徴とする請求項１記載の補強構造を備えたディスク装置。
【請求項３】
前記２重リブ構造のフレーム部分を、下方に開口した断面コ字型に形成したことを特徴とする請求項１又は請求項２記載の補強構造を備えたディスク装置。
【発明の詳細な説明】
【技術分野】
【０００１】
本発明は、ディスク装置の強度を向上させた、補強構造を備えたディスク装置に関する。詳しくは、ディスク装置を構成するフレームを一部２重リブ構造に形成したものである。
【背景技術】
【０００２】
従来から用いられている電子機器に内蔵されているディスク装置においては、ディスク装置に設けられた進退可能な可動部たるトレイにディスクを載置して、ディスク装置に格納されたディスクに、映像や音声を記録・再生させることが可能なディスク装置を備えた電子機器などが利用されている。
【０００３】
近年、このような電子機器にディスク装置を内蔵している製品には、ディスク装置がユーザーの種々のニーズに対応して、テレビジョン受像機本体に内蔵されたり、或いはラジオ機能などを備えた電子機器などに内蔵されてきている。
【０００４】
このような電子機器に内蔵されるディスク装置の構成が特開２００３−１９６９５１号公報などによって開示されている。
【０００５】
【特許文献１】特開２００３−１９６９５１号公報
【発明の開示】
【発明が解決しようとする課題】
【０００６】
しかし、前記背景技術においては、電子機器に種々の装置や部品が内蔵されており、これらの装置などが内蔵されることに伴って、これらの装置や部品の重量により電子機器本体を構成する筐体に撓みなどが生じてしまうという問題があった。加えて、電子機器に内蔵される種々の装置や部品は、動作時に熱を発するものが多く、電子機器の小型化等のためにこれらの装置や部品が密集して当該電子機器に内蔵される場合などにおいては特に、当該部品等が発する熱により、電子機器本体を構成する筐体などに撓みなどが生じやすくなるという問題が生じていた。また、これに伴って、ディスク装置を内蔵している電子機器においては、ディスクを載置するために設けられた進退可能なトレイが、前述した電子機器のフレームの撓みなどの影響によって、スムーズに可動できなくなるという問題が生じていた。
【０００７】
本発明は上述した問題点を鑑みてなされたものであり、電子機器の筐体の撓みに伴って、或いは電子機器に内蔵される種々の装置や部品が発する熱によって、ディスク装置が撓むことがなく強度的に優れた補強構造を備えたディスク装置を提供することを目的とする。
【課題を解決するための手段】
【０００８】
本発明は、ディスクを載置するための開閉可能なトレイが設けられたディスク装置において、当該ディスク装置を構成するフレームが一部２重リブ構造で形成されたことを特徴とする。
【０００９】
上記構成におけるディスク装置を構成するフレームは、全体が概ね樹脂によって形成されている。ディスク装置は、当該フレームに、ディスクを載置するためのトレイや、当該トレイを開閉可能とするための機構、ディスクの再生等を行うためのトラバースユニットなどが組み込まれることにより構成される。
【００１０】
前記フレームは概ね箱型形状であり、右側面部と左側面部を有し、正面部は当該フレーム内に設置されるディスクを載置するためのトレイが進退運動し当該フレームから飛び出すことが可能となるように、開口状となっている。
【００１１】
上記構成によれば、ディスク装置を構成するフレームが一部２重リブ構造であるため、当該フレームの強度に優れる。
【００１２】
本発明は、前記フレームに当該ディスク装置を設置するために備えられた前脚部と後脚部との間の前記フレーム部分を、一部２重リブ構造に形成したことを特徴とする。
【００１３】
ディスク装置を構成するフレームには、当該ディスク装置が内蔵される電子機器に当該ディスク装置を設置するための脚部が形成される。当該脚部は当該ディスク装置の安定のため前記フレームの四隅に備えられる。すなわち、フレームの左右両側の側面部の前部と後部に脚部が備えられる。上記構成における、前脚部と後脚部との間の前記フレーム部分を２重リブ構造に形成することは、フレームの側面部に備えられた前部と後部の脚部の間のフレームを２重リブ構造にするということである。
【００１４】
上記構成によれば、徒にフレームの構成を複雑化することなく、有効にフレームの強度を得ることができる。すなわち、撓みなどが生じやすいのは単に板状となっている部分などであり、脚部などの機構が設けられている部分は当該機構自体が補強構造の機能を果たすため、必ずしも補強の必要がない。従って，前記脚部などの機構が設けられている部分を除いた部分のみを２重リブ構造化により補強することで、徒にフレームの構成を複雑化することなく、有効にフレームの強度を得ることができるのである。
【００１５】
本発明は、前記２重リブ構造のフレーム部分を、下方に開口した断面コ字型に形成したことを特徴とする。
【００１６】
２重リブ構造のフレーム部分を、断面コ字型の２重リブ構造にすることにより、さらに当該フレームの強度を増すものである。
【発明の効果】
【００１７】
請求項１記載のディスク装置によれば、複数の部品が集中して設けられていて重量が重いディスク装置であって、且つ、当該ディスク装置が内蔵される電子機器に内蔵されている種々の装置や部品が動作時に発する熱が、当該ディスク装置に加わる状態にあっても、当該ディスク装置のフレームのねじれを防止でき、さらにトレイなどの可動部が動作する際に、確実かつスムーズにトレイを支持して動作することが可能であるので、故障が少なく信頼性の優れたディスク装置を提供することができる。
【００１８】
また、ディスク装置のフレームのねじれが防止されることにより、トレイとフレームとの間隔がごく僅かであっても、トレイの進退動作が阻害されることがないため、トレイとフレームとの間隔を可及的に狭めることが可能であり、当該装置の省スペース化が可能である。
【００１９】
請求項２記載のディスク装置によれば、徒にフレームの構成を複雑化することなく、有効にフレームの強度を得ることができる。
【００２０】
請求項３記載のディスク装置によれば、２重リブ構造のフレーム部分を、断面コ字型の２重リブ構造にすることにより、さらに当該フレームの強度を得ることができる。
【発明を実施するための最良の形態】
【００２１】
以下、図１〜図５を参酌しながら、本発明を実施するための最良の形態としての実施例を以下に説明する。もちろん、本発明は、その発明の趣旨に反しない範囲で、実施例において説明した以外の構成のものに対しても容易に適用可能なことは説明を要するまでもない。
【００２２】
図１は、ディスク装置を備えた電子機器の一例を示す斜視図である。
【００２３】
電子機器１は、全体が平板状の前面パネル２とキャビネット３により箱形に形成されている。そして、電子機器１の正面に設けられた前面パネル２は、キャビネット３に対し着脱可能であり、前面パネル２の略中央には開口部４が形成されている。
【００２４】
また、前面パネル２の適宜位置には、複数の操作ボタン５が設けられており、これらの操作ボタン５を操作することにより、後述するトレイの開閉や、記録または再生などを行うものである。なお、これらの操作ボタン５は、前述した機能に限定するものではなく、種々の機能を有していても良い。
【００２５】
図２は電子機器１に内蔵されるディスク装置１０を上方から見た斜視図であり、図３はフレーム１０Ａの底面側から見た斜視図である。また、図４は、ディスク装置１０の内部構造を示す平面図である。
【００２６】
ディスク装置１０には、図２に示すように、ディスクを載置するための開閉可能なトレイ１３が設けられており、このトレイは、前述した電子機器１の前面パネルの開口部４を介して、進退する構成となっている。
【００２７】
また、ディスク装置１０は全体が概ね樹脂製のフレーム１０Ａにより形成されている。図７は本実施例であるディスク装置のフレーム１０Ａの平面図であり、図８は同底面図、図９は同側面図、図１０は同断面図である。フレーム１０Ａは概ね箱型形状であり、右側面部と左側面部を有し、正面部は当該フレーム内に設置されるディスクを載置するためのトレイが進退運動し当該フレームから飛び出すことが可能となるように、開口状となっている。当該フレーム１０Ａの四隅には、脚部が一体に形成されている。さらに詳しくは、脚部はディスク装置１０前方の前脚部１１Ｆと、ディスク装置後方の後脚部１１Ｒとにより構成されており、前脚部１１Ｆと後脚部１１Ｒとにより、ディスク装置１０が、電子機器１のキャビネット３の適宜位置にビスなどにより着脱自在に取付けられている。
【００２８】
また、フレーム１０Ａに一体に形成された各々の前脚部１１Ｆと後脚部１１Ｒとの間には、フレーム１０Ａが、図３及び図５に示すように断面コ字型であって２重リブ構造に形成された補強部１２が形成されている。これにより、例えば複数の部品が集中して設けられていて重量が重いディスク装置１０であっても、ディスク装置１０のフレーム１０Ａのねじれを確実に防止することが可能である。
【００２９】
１３はディスクを載置するためのトレイであり、このトレイ１３は補強部１２の内側部１４に沿って移動可能に構成されている。なお、トレイ１３と内側部１４との間には、それぞれにごく僅かな隙間Ｓが設けられている。なお、本実施例における隙間Ｓは２ｍｍ以下である。
【００３０】
また、トレイ１３の上面には、図２に示すようにディスクの円形状に対応してディスクを載置するための円形溝１３Ａが形成されている。一方トレイ１３の下面側には、図４に示すようにディスク装置１０の前後方向にトレイラック１５が設けられ、このトレイラック１５に沿って略Ｌ型のトレイガイド溝１６が設けられている。
【００３１】
トレイラック１５は、トレイ１３を進退させて開閉するためのギア２０と噛み合っており、トレイガイド溝１６にはカムロッドボス２１が遊嵌している。前述したギア２０は、動力手段たるモータ２２が回転駆動することにより、トレイラック１５を進退する。
【００３２】
なお、トレイ１３は所定の距離を進退動作することで、すなわち、トレイの開閉が行われることにより、ユーザーがトレイ１３にディスクを載置する事が可能となる。
【００３３】
また、前述したトレイガイド溝１６は、トレイラック１５と平行する縦ガイド溝部１６Ａと、縦ガイド溝部から傾斜して延設された傾斜ガイド溝部１６Ｂと、傾斜ガイド溝部１６Ｂからさらに延設され、縦ガイド溝部１６Ａとその向きが垂直方向に形成された横ガイド溝部１６Ｃとにより形成されており、縦ガイド溝部１６Ａの後端は、湾曲部１６Ｄ形成されている。
【００３４】
上記構成により、トレイ１３が進出した状態、すなわちトレイ１３が開いた状態では、図４に示すように、カムロッドボス２１にトレイガイド溝１６の湾曲部１６Ｄが当接することで、トレイ１３は係止されて停止する。一方、トレイ１３が後退した状態、すなわちトレイ１３が閉じた状態では、カムロッドボス２１が傾斜ガイド溝部１６Ｂに当接することにより、トレイは係止されて停止する構成となっている。つまり、トレイ１３が開閉する際は、カムロッドボス２１によりトレイガイド溝１６が誘導されてトレイが移動して開閉する。
【００３５】
図６はトレイが後退して閉じた状態を示す図である。トレイ１３が閉じた状態においては、カムロッドボス２１は、トレイガイド溝１６の傾斜ガイド溝部１６Ｂに位置することで、トレイ１３が停止する。そして、この状態からギア２０が回転すると、カムロッドボス２１が横ガイド溝部１６Ｃに沿って移動する。
【００３６】
フレームを形成する前脚部１１Fと後脚部１１Rとの間を２重リブ構造に形成することにより、複数の部品が集中して設けられていて重量が重いディスク装置であっても、フレームのねじれを確実に防止でき、さらにトレイなどの可動部が動作する際に、確実かつスムーズにトレイ１３を支持して動作することが可能であるので、故障が少なく信頼性の優れたディスク装置１０を提供することができる。
【図面の簡単な説明】
【００３７】
【図１】本発明の実施例であるディスク装置を備えた電子機器の一例を示す斜視図
【図２】本実施例であるディスク装置の斜視図。
【図３】本実施例であるディスク装置のフレームの底面側から見た斜視図。
【図４】本実施例であるディスク装置の内部構造を示す平面図。
【図５】本実施例であるディスク装置のフレーム側面部の一部を切り欠いた斜視図
【図６】本実施例であるディスク装置のトレイが閉じた状態の内部構造を示す平面図
【図７】本実施例であるディスク装置のフレームの平面図
【図８】本実施例であるディスク装置のフレームの底面図。
【図９】本実施例であるディスク装置のフレームの側面図。
【図１０】本実施例であるディスク装置のフレームの断面図
【符号の説明】
【００３８】
１      電子機器
１０    ディスク装置
１０Ａ  フレーム
１１Ｆ  前脚部
１１Ｒ  後脚部
１２    補強部
１３    トレイ
１４    内側部
１５    トレイラック
１６    トレイガイド溝
２１    カムロッドボス
Ｓ      隙間
【図１】
2005174440.tif 000003
【図２】
2005174440.tif 000004
【図３】
2005174440.tif 000005
【図４】
2005174440.tif 000006
【図５】
2005174440.tif 000007
【図６】
2005174440.tif 000008
【図７】
2005174440.tif 000009
【図８】
2005174440.tif 000010
【図９】
2005174440.tif 000011
【図１０】
2005174440.tif 000012